【事件の表示】
　特願２００１−　４６６３４号「万能缶の使用方法」拒絶査定不服審判事件〔平成１４年　８月２７日出願公開、特開２００２−２３８９７８号〕について、次のとおり審決する。
【結　論】
　本件審判の請求は、成り立たない。
【理　由】
１．手続の経緯
　本願は、平成１３年２月２２日の出願であって、平成１９年１月１５日付けで拒絶査定がなされ、これに対し、平成１９年２月２０日に拒絶査定不服審判の請求がなされるとともに、同日付けで明細書についての手続補正がなされたものである。
　
２．平成１９年２月２０日付けの手続補正についての補正却下の決定
［補正却下の決定の結論］
　平成１９年２月２０日付けの手続補正（以下、「本件補正」という）を却下する。
　
［理由］
　本件補正は、補正事項として、特許請求の範囲を、次のように補正することを含むものである。（下線部は補正箇所を示す。）
　「【請求項１】　医療機関において消毒用材又はその他の物を入れて清潔に保管する万能缶の使用方法において、
　万能缶は、消毒用材又はその他の物を入れる容器部と、容器部の上面開口を閉鎖する蓋部からなり、容器部は、上面を開口した筒形状の容器であって、使い捨ての合成樹脂成形品であり、蓋部は、容器部の上面開口縁に着脱可能な取付環に、容器部の上面開口を閉鎖する蓋板
を取
　この万能缶は、容器部の上面開口縁に蓋部の取付環を嵌め込んで容器部に蓋部を組み付けており、使用するときに、蓋部の蓋板を開けて容器部の上面開口を開放し、容器部に入れた消毒用材又はその他の物を取り出し、
　容器部に入れた消毒用材又はその他の物がなくなると、又は、保管期間が経過すると、容器部は、蓋部から取り外し、廃棄し、容器部を取り外した蓋部に補給品の容器部を取り付け、
　容器部を取り替えた万能缶は、再び使用し、蓋部は、内面が落下菌などで汚染されない限り、繰り返して使用することを特徴とする万能缶の使用方法。
・・・
【請求項６】　万能缶を使用するときには、万能缶を載せる作業台の上に転倒防止スタンドの基盤を配置し、基盤の上面に開口した嵌合孔に万能缶の容器部
を差
　しかしながら、補正後の請求項１は、補正前の請求項１に記載された発明特定事項である、「蝶番で」を、その発明特定事項に含んでいないし、また、補正後の請求項６は、補正前の請求項６に記載された発明特定事項である、「縦に」を、その発明特定事項に含んでいないので、本件補正は、特許請求の範囲の限定的減縮を目的としたものとは認められない。  
　また、本件補正は、請求項の削除、誤記の訂正、あるいは明りょうでない記載の釈明の、いずれを目的としたものとも認められない。
　したがって、本件補正は、平成１８年法律第５５号改正附則第３条第１項によりなお従前の例によるとされる同法による改正前の特許法第１７条の２第４項の規定に適合しないので、特許法第１５９条第１項において読み替えて準用する同法第５３条第１項の規定により、却下する。
　
３．本願発明
　本件補正は、上記のとおり却下されたので、本願の請求項１に係る発明（以下、同項記載の発明を、「本願発明」という）は、平成１８年９月２６日付けの手続補正書により補正された特許請求の範囲の請求項１に記載された事項により特定される、以下のとおりのものである。
　「医療機関において消毒用材又はその他の物を入れて清潔に保管する万能缶の使用方法において、
　万能缶は、消毒用材又はその他の物を入れる容器部と、容器部の上面開口を閉鎖する蓋部からなり、容器部は、上面を開口した筒形状の容器であって、使い捨ての合成樹脂成形品であり、蓋部は、容器部の上面開口縁に着脱可能な取付環に、容器部の上面開口を閉鎖する蓋板を蝶番で取り付けており、
　この万能缶は、容器部の上面開口縁に蓋部の取付環を嵌め込んで容器部に蓋部を組み付けており、使用するときに、蓋部の蓋板を開けて容器部の上面開口を開放し、容器部に入れた消毒用材又はその他の物を取り出し、
　容器部に入れた消毒用材又はその他の物がなくなると、又は、保管期間が経過すると、容器部は、蓋部から取り外し、廃棄し、容器部を取り外した蓋部に補給品の容器部を取り付け、
　容器部を取り替えた万能缶は、再び使用し、蓋部は、内面が落下菌などで汚染されない限り、繰り返して使用することを特徴とする万能缶の使用方法。」
　
４．引用刊行物の記載事項
　原査定の拒絶の理由に引用された、本願の出願前に日本国内において頒布された刊行物である特開２００１−３１１４４号公報（以下、「引用刊行物１」という。）には、図面とともに、以下の事項が記載されている。
（ア）「多数の綿球、綿棒や板状綿などの消毒用材を滅菌包装した容器又は袋を、消毒用材が入ったままの状態で万能缶に挿入し、万能缶内の開封した容器又は袋に消毒液を注ぎ、容器又は袋内の消毒用材に消毒液を付着し、
消毒液が付着した万能缶内の容器又は袋内の消毒用材を使用しないときは、万能缶の蓋を閉め、万能缶内の開封容器又は開封袋に落下菌が入るのを防止し、容器又は袋内の消毒用材を清潔に保管することを特徴とする消毒用材の保管方法。」（特許請求の範囲の請求項１） 
（イ）「本発明は、傷口部分、陰部や注射を打つ部分などの局部に消毒薬を付着する綿球、綿棒や板状綿などの消毒用材を清潔に保管する方法と、その消毒用材を滅菌包装する容器と袋に関する。」（段落【０００１】） 
（ウ）「また、綿球の滅菌包装袋は、合成樹脂フィルム、紙や不織布の袋であり、形状保持能力が高くないので、形状保持能力が高い合成樹脂成形品のような容器を使用することを考え付いた。
　形状保持能力が高い滅菌包装容器は、形状保持能力が高くない滅菌包装袋より、万能缶への出し入れが容易になる。
　また、医療機関において使用されている万能缶は、寸法が数種類に限定されているので、万能缶に挿入する滅菌包装袋と滅菌包装容器は、それぞれ、寸法を万能缶の寸法に合わせ、万能缶内で倒れたり傾いたりするのを防止することを考え付いた。」（段落【００１７】〜段落【００１９】） 
（エ）「１）消毒用材の保管方法においては、消毒用材を滅菌包装した容器又は袋を、消毒用材が入ったままの状態で万能缶に挿入するので、消毒用材を手に触れずに万能缶に入れる作業に多くの手間が掛からない。また、万能缶内の容器又は袋に消毒用材がなくなると、又は、保管期間が経過すると、使い古した消毒液が付着した容器又は袋は、万能缶から抜き出し、破棄する。その際、万能缶は、通常、使い古した消毒液が付着していないので、万能缶を滅菌処理室に運んで洗浄滅菌する必要がない。万能缶を洗浄滅菌する頻度が減少する。万能缶を運ぶ手間と、洗浄滅菌する手間が減る。水の消費量が減少する。
　２）消毒用材の滅菌包装容器は、上記の保管方法において使用される。その使用の際、容器本体は、万能缶内で倒れたり傾いたりせず、開封した容器本体に入れた消毒液が万能缶内にこぼれ難い。」（段落【００２３】〜段落【００２４】） 
（オ）「［第１例（図１〜図５参照）］本例は、綿球の保管方法と滅菌包装容器である。
　この綿球の滅菌包装容器は、図１に示すように、透明合成樹脂の一体成形品の容器本体１と紙や不織布の滅菌シート６からなる。
　容器本体１は、材質が非結晶ポリエステル、具体的には、Ａ−ＰＥＴ（非結晶ポリエチレン・テレフタラート）であり、菌や消毒液が通過しない。容器本体１の形状は、図１と図２に示すように、上端を開口して下端を閉鎖した逆円錐筒形状であり、上端開口２の真下部分３を少し大径にし、円形状の上端開口２縁に円輪板形状のフランジ４を外側に突出して全周に形成し、フランジ４の外周縁に折返し部５を下側に突出して全周に形成している。
　滅菌シート６は、滅菌用ガスが通過するが、菌が通過しないシートであり、紙又は不織布の裏面に溶着用の合成樹脂フイルムを積層している。滅菌シート６の形状は、容器本体１のフランジ４より少し大きい円形状であって、その外周の一部に剥離用の摘み部７を突出している。
　滅菌包装容器は、図１に示すように、容器本体１にその上端開口２から多数の綿球８を入れ、上端開口２に滅菌シート６を載せて、滅菌シート６裏面の外周部を容器本体１のフランジ４に熱溶着して貼着し、上端開口２を滅菌シート６で閉鎖している。多数の綿球８を封入した容器本体１の内部には、滅菌シート６を通して滅菌用ガスを流入させ、容器本体１の内部とその中の多数の綿球８を滅菌している。
　容器１，６に滅菌包装した綿球８を使用する場合、滅菌処理した蓋付き円筒金属容器の万能缶１１の蓋１２を開放し、上端開口を開放した万能缶１１に、綿球８を滅菌包装したままの状態で容器１，６を挿入する。綿球８は、手に触れずに万能缶１１に入る。
　すると、図３に示すように、容器本体１のフランジ４が万能缶１１の上端開口縁に載り、万能缶１１の上端開口縁が容器本体１の上端開口２真下の大径部分３と容器本体１のフランジ４外周縁の折返し部５の間に挟まれ、万能缶１１に差し込まれた容器本体１が位置決めされる。容器本体１が万能缶１１内で倒れたり傾いたりしない。」（段落【００２６】〜段落【００３２】）
（カ）「万能缶１１内に嵌合した容器本体１の上端開口２から滅菌シート６を剥離して上端開口２を開放し、万能缶１１内の開封した容器本体１にヨード製剤などの消毒液Ｓを注ぎ、消毒液Ｓに容器本体１内の綿球８を漬ける。
　消毒液Ｓが浸透した容器本体１内の綿球８は、滅菌処理したピンセットで万能缶１１内の容器本体１から摘み出し、ピンセットで摘んだ綿球８を患者の傷口部分などの局部に接触し、綿球８に含まれた消毒薬Ｓを患者の局部に付着する。一個又は複数個の綿球８を順次使用して局部を消毒する。使用済みの綿球８は、廃棄する。
　綿球８の使用後、万能缶１１内の容器本体１に綿球８が残っているときは、万能缶１１に開閉可能に取り付けてある蓋１２を閉める。
　すると、図４と図５に示すように、万能缶１１の蓋１２の内面が容器本体１のフランジ４に載り、万能缶１１の浅い逆コップ形状の蓋１２内に容器本体１の上端開口２縁、フランジ４と折返し部５及び万能缶１１の上端開口縁が挿入され、容器本体１の上端開口２と万能缶１１の上端開口が万能缶１１の蓋１２で閉鎖され、容器本体１と万能缶１１に落下菌が入るのが防止される。この状態で万能缶１１内の容器本体１の綿球８を次の使用時まで清潔に保管する。」（段落【００３３】〜段落【００３６】）
（キ）「球８の使用後、万能缶１１内の容器本体１に綿球８がなくなると、又は、一日〜一週間位の予め定めた保管期間が経過すると、使い古した消毒液Ｓが付着した容器本体１は、万能缶１１から抜き出し、破棄する。
　その際、万能缶１１は、通常、使い古した消毒液Ｓが付着していないので、滅菌処理室に運んで洗浄滅菌する必要がない。
　容器本体１を万能缶１１から抜き出した後、その万能缶１１には、次の新品の容器１，６を同様に挿入し、その容器本体１内の綿球８を同様に使用する。
　万能缶１１が使い古した消毒液Ｓや落下菌などで汚れれば、その万能缶１１は、滅菌処理室に運んで洗浄滅菌する。万能缶を洗浄滅菌する頻度は、減少する。万能缶１１を運ぶ手間と、洗浄滅菌する手間が減る。水の消費量が減少する。」（（段落【００３７】〜段落【００４０】） 
（ク）図３には、容器本体１は、上面を開口した筒形状の容器である点が示されている。図４には、万能缶１１及び容器本体１は、容器本体１に蓋１２を有する万能缶１１を組み付けている点が示されている。
　また、上記記載事項（オ）、（カ）及び（キ）より、万能缶１１及び容器本体１は、医療機関において消毒用材を入れて清潔に保管するために使用されるものであることは自明である。
　また、上記記載事項（オ）、（カ）及び（キ）より、容器本体１は、使い捨ての合成樹脂成形品であることは自明である。
　
　以上の記載事項及び図示内容を総合すると、上記引用刊行物１には、以下の発明（以下、「引用発明１」という。）が記載されている。 
　
「医療機関において消毒用材を入れて清潔に保管する万能缶１１及び容器本体１の使用方法において、
　万能缶１１及び容器本体１は、消毒用材を入れる容器本体１と、容器本体１の上面開口を閉鎖する蓋１２を有する万能缶１１からなり、容器本体１は、上面を開口した筒形状の容器であって、使い捨ての合成樹脂成形品であり、蓋１２を有する万能缶１１は、容器本体１の上面開口を閉鎖する蓋１２を取り付けており、
　この万能缶１１及び容器本体１は、容器本体１に蓋１２を有する万能缶１１を組み付けており、使用するときに、蓋１２を有する万能缶１１の蓋１２を開けて容器本体１の上面開口を開放し、容器本体１に入れた消毒用材を取り出し、
　容器本体１に入れた消毒用材がなくなると、又は、保管期間が経過すると、容器本体１は、蓋１２を有する万能缶１１から取り外し、廃棄し、容器本体１を取り外した蓋１２を有する万能缶１１に新品の容器本体１を取り付け、
　容器本体１を取り替えた万能缶１１及び容器本体１は、再び使用し、蓋１２を有する万能缶１１は、内面が落下菌などで汚染されない限り、繰り返して使用する万能缶１１及び容器本体１の使用方法。」
　
　また、原査定の拒絶の理由に引用された、本願の出願前に日本国内において頒布された刊行物である特開２０００−１４２７４９号公報（以下、「引用刊行物２」という。）には、図面とともに、以下の事項が記載されている。
（ケ）「容器の開口縁部に嵌装され、前記容器の開口を開閉可能な包装容器の蓋であって、前記容器に嵌着する嵌着部と、前記嵌着部に嵌合して容器の開口を閉塞する蓋部と、前記嵌着部と蓋部とを連結するヒンジ部とが１枚の樹脂シートから形成されていることを特徴とする包装容器の蓋。」（特許請求の範囲の請求項１） 
（コ）「本発明は、例えば味噌などを保存する包装容器の縁に装着される蓋に係わり、特に製造コストを低減することのできる包装容器の蓋及びその製造方法に関する。」（段落【０００１】） 
（サ）「本発明における包装容器の蓋は、容器の開口縁部に嵌装され、前記容器の開口を開閉可能な包装容器の蓋であって、前記容器に嵌着する嵌着部と、前記嵌着部に嵌合して容器の開口を閉塞する蓋部と、前記嵌着部と蓋部とを連結するヒンジ部とが１枚の樹脂シートから形成されていることを特徴とするものである。
　上記の包装容器の蓋は、１枚の樹脂シート、例えばポリエチレンテレフタレート（ＰＥＴ）などの熱可塑性フィルムシートから形成される。またその他の熱可塑性フィルムを用いることによっても成形可能である。ただし、廃棄後のゴミ処理問題を考慮した場合、再生処理しやすくリサイクル可能なＰＥＴで形成する方が好ましい。」（段落【００１３】〜段落【００１４】） 
（シ）「以下、本発明について図面を参照して説明する。図１は、本発明における包装容器の蓋の実施の形態を示し、（Ａ）は蓋体の平面図、（Ｂ）は（Ａ）の蓋体のＡ−Ａ線断面図、図２は包装容器と蓋体とを示し、図示右端側が側面図，左端側が断面図、図３は取っ手の実施の形態を示す斜視図である。
　図１に示す蓋体１２は、熱可塑性の樹脂材料であり、且つ再生処理の容易なポリエチレンテレフタレート（以下、ＰＥＴという）で形成されている。なお、図示右端側が嵌着部１２Ａ、左端側が蓋部１２Ｂである。嵌着部１２Ａの縁部にはフランジ１２Ｄが周設されており、その一部に凸状の取っ手１２Ｅが形成されている。同様に蓋部１２Ｂの縁部にもフランジ１２Ｆが周設されており、その一部に凸状の取っ手１２Ｇが形成されている。前記嵌着部１２Ａと蓋部１２Ｂとは、ヒンジ部１２Ｃで連結されている。また嵌着部１２Ａの中央部分には、大きな開口部１２Ｈが形成されている。
　図１（Ｂ）に示すように前記ヒンジ部１２Ｃは、略円弧形状の断面を有する曲面であり、図示Ｙ方向に延びている。またヒンジ部１２Ｃは、中央部が最も曲率半径Ｒが大きく、両端（Ｙ１及びＹ２方向）に近付くほど小さくなる曲率半径Ｒ′で形成されている。そして、蓋部１２Ｂは、このヒンジ部１２Ｃを中心としてα１又はα２方向に回動自在となっている（図２参照）。
　図２に示すように、蓋体１２は容器１１の開口１１Ａの縁部に取り付けられる。容器１１は、単層のものでは硬質ＰＶＣシート、バーレックス（ポリアクリロニトリル、ＰＡＮ系）シート（例えば商品名「ゼクロン」三井化学）から成形されている。あるいは、ＰＰ／ＥＶＯＨ／ＰＰの共押出しまたはラミネートされた多層樹脂シート（ＥＶＯＨはエチレンビニルアルコール共重合体樹脂）から熱成形された容器、または上記樹脂の単層又は多層共射出成形（コーインジェクション）により射出成形された多層構造の容器等である。なお、容器１１の肉厚は、一般に０．９〜１．２ｍｍ程度である。」（段落【００２１】〜段落【００２４】） 
（ス）図２には、容器１１と、蓋体１２は、容器１１の上面開口縁に着脱自在な嵌着部１２Ａに、容器１１の上面開口を閉鎖する蓋部１２Ｂをヒンジ部１２Ｃで取り付けており、容器１１の上面開口縁に蓋体１２の嵌着部１２Ａを組み付ける点が示されている。
　
　以上の記載事項及び図示内容を総合すると、上記引用刊行物２には、以下の発明（以下、「引用発明２」という。）が記載されている。 
　
「容器１１と、蓋体１２は、容器１１の上面開口縁に着脱自在な嵌着部１２Ａに、容器１１の上面開口を閉鎖する蓋部１２Ｂをヒンジ部１２Ｃで取り付けており、容器１１の上面開口縁に蓋体１２の嵌着部１２Ａを組み付けてなる蓋体１２との組合せ。」
　
５．対比・判断 
　本願発明と引用発明１を対比すると、その機能及び構成からみて、引用発明１の「万能缶１１及び容器本体１」は本願発明の「万能缶」に、「容器本体１」は「容器部」に、「蓋１２」は「蓋板」に、「消毒用材」は「消毒用材又はその他の物」に、及び「新品の」は「補給品の」に、それぞれ相当する。
　また、後者の「蓋１２を有する万能缶１１」と前者の「蓋部」とは、「蓋板を有する部材」の概念で共通する。
　また、後者の「万能缶１１及び容器本体１は、消毒用材を入れる容器本体１と、容器本体１の上面開口を閉鎖する蓋１２を有する万能缶１１からなり」と前者の「万能缶は、消毒用材又はその他の物を入れる容器部と、容器部の上面開口を閉鎖する蓋部からなり」とは、「万能缶は、消毒用材又はその他の物を入れる容器部と、容器部の上面開口を閉鎖する蓋板を有する部材からなり」の概念で共通する。
　また、後者の「容器本体１に入れた消毒用材がなくなると、又は、保管期間が経過すると、容器本体１は、蓋１２を有する万能缶１１から取り外し、廃棄し、容器本体１を取り外した蓋１２を有する万能缶１１に新品の容器本体１を取り付け、
　容器本体１を取り替えた万能缶１１及び容器本体１は、再び使用し、蓋１２を有する万能缶１１は、内面が落下菌などで汚染されない限り、繰り返して使用する」と前者の「容器部に入れた消毒用材又はその他の物がなくなると、又は、保管期間が経過すると、容器部は、蓋部から取り外し、廃棄し、容器部を取り外した蓋部に補給品の容器部を取り付け、
　容器部を取り替えた万能缶は、再び使用し、蓋部は、内面が落下菌などで汚染されない限り、繰り返して使用する」とは、「容器部に入れた消毒用材又はその他の物がなくなると、又は、保管期間が経過すると、容器部は、蓋板を有する部材から取り外し、廃棄し、容器部を取り外した蓋板を有する部材に補給品の容器部を取り付け、
　容器部を取り替えた万能缶は、再び使用し、蓋板を有する部材は、内面が落下菌などで汚染されない限り、繰り返して使用する」の概念で共通する。
　
　そうすると、両者は
「医療機関において消毒用材又はその他の物を入れて清潔に保管する万能缶の使用方法において、
　万能缶は、消毒用材又はその他の物を入れる容器部と、容器部の上面開口を閉鎖する蓋板を有する部材からなり、容器部は、上面を開口した筒形状の容器であって、使い捨ての合成樹脂成形品であり、蓋板を有する部材は、容器部の上面開口を閉鎖する蓋板を取り付けており、
　この万能缶は、容器部に蓋板を有する部材を組み付けており、使用するときに、蓋板を有する部材の蓋板を開けて容器部の上面開口を開放し、容器部に入れた消毒用材又はその他の物を取り出し、
　容器部に入れた消毒用材又はその他の物がなくなると、又は、保管期間が経過すると、容器部は、蓋板を有する部材から取り外し、廃棄し、容器部を取り外した蓋板を有する部材に補給品の容器部を取り付け、
　容器部を取り替えた万能缶は、再び使用し、蓋板を有する部材は、内面が落下菌などで汚染されない限り、繰り返して使用する万能缶の使用方法。」
の点で一致しており、以下の点で相違している。 
　
（相違点） 
　本願発明では、蓋板を有する部材は、容器部の上面開口縁に着脱可能な取付環に、容器部の上面開口を閉鎖する蓋板を蝶番で取り付けており、容器部の上面開口縁に蓋部の取付環を嵌め込んで容器部に組み付ける蓋部であり、繰り返して使用するのは蓋部であるのに対し、引用発明１では、蓋板を有する部材は、蓋板（蓋１２）を有する万能缶１１であり、繰り返して使用するのは蓋板（蓋１２）を有する万能缶１１である点。
　
　上記相違点について検討する。  
　引用発明２において、「蓋体１２（蓋部）は、容器１１（容器部）の上面開口縁に着脱自在な嵌着部１２Ａ（取付環）に、容器１１（容器部）の上面開口を閉鎖する蓋部１２Ｂ（蓋板）をヒンジ部１２Ｃで取り付けており、容器１１（容器部）の上面開口縁に蓋体１２（蓋部）の嵌着部１２（取付環）を組み付けてなる」ようになっており、かつ、ヒンジ部１２Ｃは本願発明の蝶番に相当するものである。そして、蓋を有する容器が、再使用可能であれば、蓋と容器とを別々に再使用することは、種々の容器の利用の技術分野で一般に広く行われていることである点、及び引用発明の蓋１２を除いた万能缶１１は、容器本体１を保持するものであり、いわば転倒防止スタンドの役目を果たすものであることを考慮すれば、引用発明２を引用発明１に適用するに際して、蓋を独立に設け蓋のみを繰り返して使用し（再使用し）、上記相違点に係る本願発明の発明特定事項のようにすることは当業者が容易に想到し得たことである。
　
　そして、本願発明による効果も、引用発明１及び引用発明２から当業者が予測し得た程度のものであって、格別のものとはいえない。  
　                                
　よって、本願発明は、引用発明１及び引用発明２に基いて、当業者が容易に発明をすることができたものである。 
　 
６．むすび 
　以上のとおり、本願発明は、引用発明１及び引用発明２に基いて、当業者が容易に発明をすることができたものであるから、特許法第２９条第２項の規定により特許を受けることができない。 
　よって、結論のとおり審決する。